(57)【要約】  本発明は、３次元効果を伴うあらかじめ決定された画像を再現するために構成される物品Ｃに関係する。前記物品Ｃは、シートの連続体１、２、３を備え、シートの前記連続体１、２、３は、少なくとも、前記あらかじめ決定された画像の第１のパート１１が示される第１の表面１Ａ、及び、前記第１の表面１Ａの反対の第２の表面１Ｂを有する第１のシート１、並びに、前記あらかじめ決定された画像の第２のパート１２が示される第１の表面２Ａ、及び、前記第１の表面２Ａの反対の第２の表面２Ｂを有する第２のシート２であって、前記あらかじめ決定された画像の前記第２のパート１２は、前記あらかじめ決定された画像の前記第１のパート１１を影の形で再現する第１の画像を示す第１の一部分１２Ａ、及び、前記第１の画像とは異なる第２の画像を示す第２の一部分１２Ｂを含む、第２のシート２を備える。前記第１のシート１は、あらかじめ決定された寸法を有する、少なくとも１つの開口部、又は、透明材料の一部分１００を有し、前記物品Ｃは、使用中のときに、前記第２のシート２が、前記第１のシート１に平行、又は実質的に平行であり、軸Ａに沿って、前記第１のシート１に対して位置合わせされ、前記軸Ａは、前記第１のシート１に、及び前記第２のシート２に垂直であり、前記第２のシート２の前記第１の表面２Ａが、前記第１のシート１の第２の表面１Ｂから、あらかじめ決定された第１の距離にあり、前記少なくとも１つの開口部、又は、透明材料の一部分１００が、前記第２のパート１２の前記第２の一部分１２Ｂが外側から可視であるというような方式で前記第２のシート２の第１の表面２Ａに関して配置構成され、前記第１のシート１の第１の表面１Ａ上で示される前記あらかじめ決定された画像の前記第１のパート１１の前記軸Ａに沿った投影が、実質的に前記第２のパート１２の前記第１の一部分１２Ａについて対応関係にある様態で、前記第２のシート２の第１の表面２Ａ上に当たるというような方式で、構成される。本発明は、さらには、前記物品を製造するための方法に関係する。
2020508908.tif 000002
【特許請求の範囲】
【請求項１】
３次元効果を伴うあらかじめ決定された画像を再現するための物品（Ｃ）であって、シートの連続体（１、２、３）を備え、シートの前記連続体（１、２、３）は、少なくとも、
前記あらかじめ決定された画像の第１のパート（１１）が示される第１の表面（１Ａ）、及び、前記第１の表面（１Ａ）の反対の第２の表面（１Ｂ）を有する第１のシート（１）、
前記あらかじめ決定された画像の第２のパート（１２）が示される第１の表面（２Ａ）、及び、前記第１の表面（２Ａ）の反対の第２の表面（２Ｂ）を有する第２のシート（２）であって、前記あらかじめ決定された画像の前記第２のパート（１２）は、
前記あらかじめ決定された画像の前記第１のパート（１１）を影の形で再現する第１の画像を示す第１の一部分（１２Ａ）、及び、
前記第１の画像とは異なる第２の画像を示す第２の一部分（１２Ｂ）
を含む、第２のシート（２）
を備え、
前記第１のシート（１）は、あらかじめ決定された寸法を有する、少なくとも１つの開口部、又は、透明材料の一部分（１００）を有し、
前記物品（Ｃ）は、使用中のときに、前記第２のシート（２）が、前記第１のシート（１）に平行、又は実質的に平行であり、軸（Ａ）に沿って、前記第１のシート（１）に対して位置合わせされ、前記軸（Ａ）は、前記第１のシート（１）に、及び前記第２のシート（２）に垂直であり、前記第２のシート（２）の前記第１の表面（２Ａ）が、前記第１のシート（１）の前記第２の表面（１Ｂ）から、あらかじめ決定された第１の距離にあり、前記少なくとも１つの開口部、又は、透明材料の一部分（１００）が、前記第２のパート（１２）の前記第２の一部分（１２Ｂ）が外側から可視であるというような方式で前記第２のシート（２）の前記第１の表面（２Ａ）に関して配置構成され、前記第１のシート（１）の前記第１の表面（１Ａ）上で示される前記あらかじめ決定された画像の前記第１のパート（１１）の前記軸（Ａ）に沿った投影が、実質的に前記第２のパート（１２）の前記第１の一部分（１２Ａ）について対応関係にある様態で、前記第２のシート（２）の前記第１の表面（２Ａ）上に当たるというような方式で、構成される、物品（Ｃ）。
【請求項２】
シートの前記連続体は、前記あらかじめ決定された画像の第３のパート（１３）が示される第１の表面（３Ａ）を有する第３のシート（３）であって、前記あらかじめ決定された画像の前記第３のパート（１３）は、
前記あらかじめ決定された画像の前記第２のパート（１２）を影の形で再現する第３の画像を示す第１の一部分（１３Ａ）、
前記第３の画像とは異なる第４の画像を示す第２の一部分（１３Ｂ）
を含む、第３のシート（３）を備え、
前記第２のシート（２）は、あらかじめ決定されたさらなる寸法を有する、少なくとも１つのさらなる開口部、又は、透明材料のさらなる一部分（２００）を有し、前記物品（Ｃ）は、使用中のときに、前記第３のシート（３）が、前記第１のシート（１）及び前記第２のシート（２）に平行、又は実質的に平行であり、前記軸（Ａ）に沿って、前記第１のシート（１）及び前記第２のシート（２）に対して位置合わせされ、前記軸（Ａ）は、前記第３のシート（３）に垂直であり、前記第３のシート（３）の前記第１の表面（３Ａ）が、前記第２のシート（２）の前記第２の表面（２Ｂ）から、あらかじめ決定された第２の距離にあり、前記少なくとも１つのさらなる開口部、又は、透明材料のさらなる一部分（２００）が、前記第３のパート（１３）の前記第２の一部分（１３Ｂ）が外側から可視であるというような方式で前記第３のシート（３）の前記第１の表面（３Ａ）に関して配置構成され、前記第２のシート（２）の前記第１の表面（２Ａ）上で示される前記あらかじめ決定された画像の前記第２のパート（１１）の前記軸（Ａ）に沿った投影が、実質的に前記第３のパート（１３）の前記第１の一部分（１３Ａ）について対応関係にある様態で、前記第３のシート（３）の前記第１の表面（３Ａ）上に当たるというような方式で、構成される
ことを特徴とする、請求項１に記載の物品（Ｃ）。
【請求項３】
前記第１のシート（１）及び前記第２のシート（２）は、前記物品（Ｃ）が、実質的に平坦な形状を有し、前記第１のシート（１）及び前記第２のシート（２）が、実質的に重ねられ、互いと接触している、第１の状態から、前記物品（Ｃ）が３次元形状を有し、前記第２のシート（２）が、前記第１のシート（１）に平行、又は実質的に平行であり、前記軸（Ａ）に沿って、前記第１のシート（１）に対して位置合わせされ、前記第２のシート（２）の前記第１の表面（２Ａ）が、前記第１のシート（１）の前記第２の表面（１Ｂ）から、あらかじめ決定された第１の距離にある、第２の状態へと、前記物品（Ｃ）が移り、逆も可能であるというような方式で、互いと接続されることを特徴とする、請求項１に記載の物品（Ｃ）。
【請求項４】
前記第１のシート（１）、前記第２のシート（２）、及び前記第３のシート（３）は、前記物品（Ｃ）が、実質的に平坦な形状を有し、前記第１のシート（１）、前記第２のシート（２）、及び前記第３のシート（３）が、実質的に重ねられ、互いと接触している、第１の状態から、前記物品（Ｃ）が３次元形状を有し、前記第３のシート（３）が、前記第１のシート（１）及び前記第２のシート（２）に平行、又は実質的に平行であり、前記軸（Ａ）に沿って、前記第１のシート（１）及び前記第２のシート（２）に対して位置合わせされ、前記第２のシート（２）の前記第１の表面（２Ａ）が、前記第１のシート（１）の前記第２の表面（１Ｂ）から、あらかじめ決定された第１の距離にあり、前記第３のシート（３）の前記第１の表面（３Ａ）が、前記第２のシート（２）の前記第２の表面（２Ｂ）から、あらかじめ決定された第２の距離にある、第２の状態へと、前記物品（Ｃ）が移り、逆も可能であるというような方式で、互いと接続されることを特徴とする、請求項２に記載の物品（Ｃ）。
【請求項５】
シートの前記連続体（１、２、３）の、各々のシートは、紙シートであることを特徴とする、請求項１から４までのいずれか一項に記載の物品（Ｃ）。
【請求項６】
シートの前記連続体（１、２、３）の、各々のシートは、プラスチック材料、好ましくはｐｌｅｘｉｇｌａｓｓ（著作権）、又は金属材料、又は木材、又はガラスなどの、あらかじめ決定された程度の剛性を有する材料から作製されることを特徴とする、請求項１から５までのいずれか一項に記載の物品（Ｃ）。
【請求項７】
３次元効果を伴うあらかじめ決定された画像を示す物品（Ｃ）を製造するための方法であって、後に続くステップ：
Ａ）前記あらかじめ決定された画像の第１のパート（１１）が示される第１の表面（１Ａ）、及び、前記第１の表面（１Ａ）の反対の第２の表面（１Ｂ）を有する第１のシート（１）であって、あらかじめ決定された寸法を有する、少なくとも１つの開口部、又は、透明材料の一部分（１００）を有する、第１のシート（１）を用意するステップ、
Ｂ）前記あらかじめ決定された画像の第２のパート（１２）が示される第１の表面（２Ａ）、及び、前記第１の表面（２Ａ）の反対の第２の表面（２Ｂ）を有する第２のシート（２）であって、前記あらかじめ決定された画像の前記第２のパート（１２）は、
前記あらかじめ決定された画像（１１）の前記第１のパート（１１）を影の形で再現する第１の画像を示す第１の一部分（１２Ａ）、及び、
前記第１の画像とは異なる第２の画像を示す第２の一部分（１２Ｂ）
を含む、第２のシート（２）を用意するステップ、
Ｃ）使用中のときに、前記第２のシート（２）が、前記第１のシート（１）に平行、又は実質的に平行であり、前記第１のシート（１）に、及び前記第２のシート（２）に垂直な軸（Ａ）に沿って、前記第１のシート（１）に対して位置合わせされるという、並びに、前記第２のシート（２）の前記第１の表面（２Ａ）が、前記第１のシート（１）の前記第２の表面（１Ｂ）から、あらかじめ決定された第１の距離にあるという、並びに、前記第２のパート（１２）の前記第２の一部分（１２Ｂ）が、前記少なくとも１つの開孔部、又は、透明材料の一部分（１００）を通して、外側から可視であり、前記第１のシート（１）の前記第１の表面（１Ａ）上で示される前記あらかじめ決定された画像の前記第１のパート（１１）の前記軸（Ａ）に沿った投影が、実質的に前記第２のパート（１２）の前記第１の一部分（１２Ａ）について対応関係にある様態で、前記第２のシート（２）の前記第１の表面（２Ａ）上に当たるというような方式で、前記第２のシート（２）を前記第１のシート（１）に対して連続体の形で配置構成するステップ
を含む、方法。
【請求項８】
後に続くステップ：
Ｄ）前記物品（Ｃ）が、実質的に平坦な形状を有し、前記第１のシート（１）及び前記第２のシート（２）が、実質的に重ねられ、互いと接触している、第１の状態から、前記物品（Ｃ）が３次元形状を有し、前記第２のシート（２）が、前記第１のシート（１）に平行、又は実質的に平行であるように前記第１のシート（１）に対して連続体の形で配置構成され、前記第１のシート（１）及び前記第２のシート（２）に垂直な前記軸（Ａ）に沿って、前記第１のシート（１）に関して位置合わせされ、前記第２のシート（２）の前記第１の表面（２Ａ）が、前記第１のシート（１）の前記第２の表面（１Ｂ）から、あらかじめ決定された第１の距離にある、第２の状態へと、前記物品（Ｃ）が移り、逆も可能であるというような方式で、前記第１のシート（１）の第１の側部縁部（１０Ａ）を前記第２のシート（２）の第１の側部縁部（２０Ａ）に、及び、前記第１のシート（１）の第２の側部縁部（１０Ｂ）を前記第２のシート（２）の第２の側部縁部（２０Ｂ）に接続するステップ
を含むことを特徴とする、請求項７に記載の方法。
【請求項９】
前記第２のシート（２）は、あらかじめ決定されたさらなる寸法を有する、少なくとも１つのさらなる開口部、又は、透明材料のさらなる一部分（２００）を有し、前記方法は、後に続くステップ：
前記あらかじめ決定された画像の第３のパート（１３）が示される第１の表面（３Ａ）を有する第３のシート（３）であって、前記あらかじめ決定された画像の前記第３のパート（１３）は、
前記あらかじめ決定された画像の前記第２のパート（１２）を影の形で再現する第３の画像を示す第１の一部分（１３Ａ）、
前記第３の画像とは異なる第４の画像を示す第２の一部分（１３Ｂ）
を含む、第３のシート（３）を用意するステップ、
使用中のときに、前記第３のシート（３）が、前記第１のシート（１）及び前記第２のシート（２）に平行、又は実質的に平行であり、前記第１のシート（１）、前記第２のシート（２）に、及び前記第３のシート（３）に垂直な前記軸（Ａ）に沿って、前記第１のシート（１）及び前記第２のシート（２）に対して位置合わせされるという、並びに、前記第３のシート（３）の前記第１の表面（３Ａ）が、前記第２のシート（２）の前記第２の表面（２Ｂ）から、あらかじめ決定された第２の距離にあるという、並びに、前記第３のパート（１３）の前記第２の一部分（１３Ｂ）が、前記少なくとも１つのさらなる開口部、又は、透明材料のさらなる一部分（２００）を通して、外側から可視であり、前記第２のシート（２）の前記第１の表面（２Ａ）上で示される前記あらかじめ決定された画像の前記第２のパート（１１）の前記軸（Ａ）に沿った投影が、実質的に前記第３のパート（１３）の前記第１の一部分（１３Ａ）について対応関係にある様態で、前記第３のシート（３）の前記第１の表面（３Ａ）上に当たるというような方式で、前記第３のシート（３）を前記第２のシート（２）に対して連続体の形で配置構成するステップ
を含むことを特徴とする、請求項７に記載の方法。
【請求項１０】
後に続くステップ：
Ｄ’）前記物品（Ｃ）が、実質的に平坦な形状を有し、前記第１のシート（１）、前記第２のシート（２）、及び前記第３のシート（３）が、実質的に重ねられ、互いと接触している、第１の状態から、前記物品（Ｃ）が３次元形状を有し、前記第３のシート（３）が、前記第２のシート（２）に平行、又は実質的に平行に、前記第２のシート（２）に対して連続体の形で配置構成され、前記第２のシート（２）及び前記第３のシート（３）に垂直な前記軸（Ａ）に沿って、前記第２のシート（２）に対して位置合わせされ、前記第３のシート（３）の前記第１の表面（３Ａ）が、前記第２のシート（２）の前記第２の表面（２Ｂ）から、あらかじめ決定された第２の距離にある、第２の状態へと、前記物品（Ｃ）が移り、逆も可能であるというような方式で、前記第１のシート（１）の第１の側部縁部（１０Ａ）、及び、前記第２のシート（２）の第１の側部縁部を、前記第３のシート（３）の第１の側部縁部（３０Ａ）の、それぞれの一部分に、並びに、前記第１のシート（１）の第２の側部縁部（１０Ｂ）、及び、前記第２のシート（２）の第２の側部縁部（２０Ｂ）を、前記第３のシート（３）の第２の側部縁部（３０Ｂ）の、それぞれのさらなる一部分に接続するステップ
を含むことを特徴とする、請求項９に記載の方法。
【発明の詳細な説明】
【技術分野】
【０００１】
本発明は、３次元効果を伴うあらかじめ決定された画像を再現するように構成される物品に関係する。
【０００２】
より詳しくは、本発明は、あらかじめ決定された画像を、観察者が、前記あらかじめ決定された画像を眺めるときに、奥行きの高い感覚を有するというような方式で表すことを可能とする物品に関係する。
【背景技術】
【０００３】
現在、例えば、一般的にはポップ・アップと規定される３次元ポストカードなどの、３次元効果を伴う画像を再現するための、いくつかの物品が知られている。
【０００４】
知られているタイプの３次元ポストカードの第１の実例は、第１のパートと、第１のパートに対して並んで配置構成され、折り畳み線の手段により前記第１のパートに接続される第２のパートとからなる単一のシートからなる。
【０００５】
前記シートは、そのシートが閉じられ、前記２つのパートが、互いの上に実質的に重ねられ、互いと接触している、第１の状態（ｐｏｓｉｔｉｏｎ）から、前記シートが開いており、前記第２のパートが、前記第１のパートと、あらかじめ決定された角度を形成する、第２の状態へと移り、逆も可能である。
【０００６】
画像は、例えば、前記第１のパート及び前記第２のパートにまたがって、又は、前記２つのパートのうちの１つの上で、前記シートの一部分上で配置構成され、前記シートの一部分は、前記シートが前記第２の状態にあるときに、すなわち、前記シートが開いているときに、持ち上げられ、可視であるような方式で、前記シートに、さらなるシートの一部分により接続される。
【０００７】
知られているタイプの３次元ポストカードの前記第１の実例の欠点は、観察者において生成される視覚的効果は、観察者が、画像が表されるシートの一部分をシートそれ自体と接続するシートの前記さらなる一部分に起因して、現実画像を反映しない画像を知覚するようなものであるという事実により与えられる。
【０００８】
結果的に、知られているタイプの３次元ポストカードの前記第１の実例により生成される３次元効果は制限される。
【０００９】
知られているタイプの３次元ポストカードの第２の実例は、支持手段の手段により互いに接続される複数のシートであって、それらのシートの各々上でそれぞれの画像が示される、複数のシートにより構成され、そのことによって、前記３次元ポストカードが、実質的に平坦な形状を有し、前記シートが、互いの上に実質的に重ねられ、互いと接触している、第１の状態から、前記ポストカードが３次元形状を有し、前記シートが、実質的に平行に、及び、１つのものが他のものから隔置されて、連続体の形で配置構成される、第２の状態へと、前記３次元ポストカードは移り、逆も可能である。
【００１０】
前記３次元ポストカードが前記第２の状態にあるとき、観察者が見る画像は、各々のシート上で示される画像の連続体により与えられる。
【００１１】
知られているタイプの３次元ポストカードの前記第２の実例の欠点は、前記３次元ポストカードの観察者においての奥行きの感覚が低減されるという事実により与えられる。
【００１２】
実際、前記３次元ポストカードの前方に位置する観察者は、前記３次元ポストカードを構成する個々のシートの間の距離をわずかに知覚する。
【００１３】
結果的に、３次元ポストカードの前記第２の実例により生成される３次元効果は、知られているタイプの３次元ポストカードの第１の実例により生成されるものより優れているが、いずれにしても制限される。
【発明の概要】
【発明が解決しようとする課題】
【００１４】
本発明の目的は、知られているタイプの物品により生成されるものより大きい３次元効果を伴うあらかじめ決定された画像を再現するように構成される物品を提供することにより、前記欠点を克服することである。
【００１５】
特に、前記物品は、視覚的な点から、その物品が、観察者に、前記物品が使用中であるときに、知られているタイプの物品より大きい奥行きの感覚を供するというような方式で、前記あらかじめ決定された画像を再現するように構成される。
【課題を解決するための手段】
【００１６】
それゆえに、３次元効果を伴うあらかじめ決定された画像を再現するための物品であって、少なくとも、
−  前記あらかじめ決定された画像の第１のパートが示される第１の表面、及び、前記第１の表面の反対の第２の表面を有する第１のシート、
−  前記あらかじめ決定された画像の第２のパートが示される第１の表面、及び、前記第１の表面の反対の第２の表面を有する第２のシートであって、前記あらかじめ決定された画像の前記第２のパートは、
○  前記あらかじめ決定された画像の前記第１のパートを影の形で再現する第１の画像を示す第１の一部分、及び、
○  前記第１の画像とは異なる第２の画像を示す第２の一部分
を含む、第２のシート
を備える、シートの連続体を備える、物品が、本発明の目的である。
【００１７】
前記第１のシートは、あらかじめ決定された寸法を有する、少なくとも１つの開口部（ｏｐｅｎｉｎｇ）、又は、透明材料の一部分を有し、前記物品は、使用中のときに、前記第２のシートが、前記第１のシートに平行、又は実質的に平行であり、前記第１のシートに、及び前記第２のシートに垂直な軸に沿って、前記第１のシートに対して位置合わせされ、前記第２のシートの前記第１の表面が、前記第１のシートの第２の表面から、あらかじめ決定された第１の距離にあり、前記少なくとも１つの開口部、又は、透明材料の一部分が、前記第２のパートの前記第２の一部分が外側から可視であるというような方式で前記第２のシートの第１の表面に関して配置構成され、前記第１のシートの第１の表面上で示される前記あらかじめ決定された画像の前記第１のパートの前記軸に沿った投影が、実質的に前記第２のパートの前記第１の一部分について対応関係にある様態で、前記第２のシートの第１の表面上に当たるというような方式で、構成される。
【００１８】
シートの前記連続体は、前記あらかじめ決定された画像の第３のパートが示される第１の表面を有する第３のシートであって、前記あらかじめ決定された画像の前記第３のパートは、
○  前記あらかじめ決定された画像の前記第２のパート（１２）を影の形で再現する第３の画像を示す第１の一部分（１３Ａ）、
○  前記第３の画像とは異なる第４の画像を示す第２の一部分（１３Ｂ）
を含む、第３のシートを備え得る。
【００１９】
前記第２のシートは、あらかじめ決定されたさらなる寸法を有する、少なくとも１つのさらなる開口部、又は、透明材料のさらなる一部分を有し、前記物品は、使用中のときに、前記第３のシートが、前記第１のシート及び前記第２のシートに平行、又は実質的に平行であり、前記第３のシートに垂直な前記軸に沿って、前記第１のシート及び前記第２のシートに対して位置合わせされ、前記第３のシートの前記第１の表面が、前記第２のシートの第２の表面から、あらかじめ決定された第２の距離にあり、前記少なくとも１つのさらなる開口部、又は、透明材料のさらなる一部分が、前記第３のパートの前記第２の一部分が外側から可視であるというような方式で前記第３のシートの第１の表面に関して配置構成され、前記第２のシートの第１の表面上で示される前記あらかじめ決定された画像の前記第２のパートの前記軸に沿った投影が、実質的に前記第３のパートの前記第１の一部分について対応関係にある様態で、前記第３のシートの第１の表面上に当たるというような方式で、構成される。
【００２０】
前記物品が、第１のシート及び第２のシートを備えるとき、前記第１のシート及び前記第２のシートは、前記物品が、実質的に平坦な形状を有し、前記第１のシート及び前記第２のシートが、実質的に重ねられ、互いと接触している、第１の状態から、前記物品が３次元形状を有し、前記第２のシートが、前記第１のシートに平行、又は実質的に平行であり、前記軸に沿って、前記第１のシートに対して位置合わせされ、前記第２のシートの前記第１の表面が、前記第１のシートの第２の表面から、あらかじめ決定された第１の距離にある、第２の状態へと、前記物品が移り、逆も可能であるというような方式で、互いと接続され得る。
【００２１】
前記物品が、第１のシート、第２のシート、及び第３のシートを備えるとき、前記第１のシート、前記第２のシート、及び前記第３のシートは、前記物品が、実質的に平坦な形状を有し、前記第１のシート、前記第２のシート、及び前記第３のシートが、実質的に重ねられ、互いと接触している、第１の状態から、前記物品が３次元形状を有し、前記第３のシートが、前記第１のシート及び前記第２のシートに平行、又は実質的に平行であり、前記軸に沿って、前記第１のシート及び前記第２のシートに対して位置合わせされ、前記第２のシートの第１の表面が、前記第１のシートの第２の表面から、あらかじめ決定された第１の距離にあり、前記第３のシートの第１の表面が、前記第２のシートの第２の表面から、あらかじめ決定された第２の距離にある、第２の状態へと、前記物品が移り、逆も可能であるというような方式で、互いと接続され得る。
【００２２】
第１の代替案において、シートの前記連続体の、各々のシートは、紙シートであり得る。
【００２３】
第２の代替案において、シートの前記連続体の、各々のシートは、プラスチック材料、好ましくはｐｌｅｘｉｇｌａｓｓ（著作権）、又は金属材料、又は木材、又はガラスなどの、あらかじめ決定された程度の剛性を有する材料から作製され得る。
【００２４】
本発明は、さらには、３次元効果を伴うあらかじめ決定された画像を示す物品を製造するための方法であって、後に続くステップ：
Ａ）前記あらかじめ決定された画像の第１のパートが示される第１の表面、及び、前記第１の表面の反対の第２の表面を有する第１のシートであって、あらかじめ決定された寸法を有する、少なくとも１つの開口部、又は、透明材料の一部分を有する、第１のシートを用意するステップ、
Ｂ）前記あらかじめ決定された画像の第２のパートが示される第１の表面、及び、表される前記第１の表面の反対の第２の表面を有する第２のシートであって、前記あらかじめ決定された画像の前記第２のパートは、
○  前記あらかじめ決定された画像（１１）の前記第１のパートを影の形で再現する第１の画像を示す第１の一部分、及び、
○  前記第１の画像とは異なる第２の画像を示す第２の一部分
を含む、第２のシートを用意するステップ、
Ｃ）使用中のときに、前記第２のシートが、前記第１のシートに平行、又は実質的に平行であり、前記第１のシートに、及び前記第２のシートに垂直な軸に沿って、前記第１のシートに対して位置合わせされるという、並びに、第２のシートの前記第１の表面が、前記第１のシートの前記第２の表面から、あらかじめ決定された第１の距離にあるという、並びに、前記第２のパートの前記第２の一部分が、前記少なくとも１つの開孔部（ａｐｅｒｔｕｒｅ）、又は、透明材料の一部分を通して、外側から可視であり、前記第１のシートの第１の表面上で示される前記あらかじめ決定された画像の前記第１のパートの前記軸に沿った投影が、実質的に前記第２のパートの前記第１の一部分について対応関係にある様態で、前記第２のシートの第１の表面上に当たるというような方式で、前記第２のシートを前記第１のシートに対して連続体の形で配置構成するステップ
を含む、方法に関係する。
【００２５】
ステップＡ）、Ｂ）、及びＣ）に関して、前記方法は、後に続くステップ：
Ｄ）前記物品が、実質的に平坦な形状を有し、前記第１のシート及び前記第２のシートが、実質的に重ねられ、互いと接触している、第１の状態から、前記物品が３次元形状を有し、前記第２のシートが、前記第１のシートに平行、又は実質的に平行であるように第１のシートに対して連続体の形で配置構成され、前記第１のシート及び前記第２のシートに垂直な前記軸に沿って、前記第１のシートに関して位置合わせされ、前記第２のシートの第１の表面が、前記第１のシートの第２の表面から、あらかじめ決定された第１の距離にある、第２の状態へと、前記物品が移り、逆も可能であるというような方式で、前記第１のシートの第１の側部縁部を前記第２のシートの第１の側部縁部に、及び、前記第１のシートの第２の側部縁部を前記第２のシートの第２の側部縁部に接続するステップ
を含み得る。
【００２６】
前記第２のシートは、あらかじめ決定されたさらなる寸法を有する、少なくとも１つのさらなる開口部、又は、透明材料のさらなる一部分を有し得るものであり、前記方法は、後に続くステップ：
−  前記あらかじめ決定された画像の第３のパートが示される第１の表面を有する第３のシートであって、前記あらかじめ決定された画像の前記第３のパートは、
○  前記あらかじめ決定された画像の前記第２のパートを影の形で再現する第３の画像を示す第１の一部分、
○  前記第３の画像とは異なる第４の画像を示す第２の一部分
を含む、第３のシートを用意するステップ、
−  使用中のときに、前記第３のシートが、前記第１のシート及び前記第２のシートに平行、又は実質的に平行であり、前記第１のシート、前記第２のシートに、及び前記第３のシートに垂直な前記軸に沿って、前記第１のシート及び前記第２のシートに対して位置合わせされるという、並びに、第３のシートの前記第１の表面が、第２のシートの第２の表面から、あらかじめ決定された第２の距離にあるという、並びに、前記第３のパートの前記第２の一部分が、前記少なくとも１つのさらなる開口部、又は、透明材料のさらなる一部分を通して、外側から可視であり、前記第２のシートの第１の表面上で示される前記あらかじめ決定された画像の前記第２のパートの前記軸に沿った投影が、実質的に前記第３のパートの前記第１の一部分について対応関係にある様態で、前記第３のシートの第１の表面上に当たるというような方式で、前記第３のシートを前記第２のシートに対して連続体の形で配置構成するステップ
を含み得る。
【００２７】
ステップＡ）、Ｂ）、及びＣ）に関して、前記方法は、後に続くステップ：
Ｄ’）前記物品が、実質的に平坦な形状を有し、前記第１のシート、前記第２のシート、及び前記第３のシートが、実質的に重ねられ、互いと接触している、第１の状態から、前記物品が３次元形状を有し、前記第３のシートが、前記第２のシートに平行、又は実質的に平行に、第２のシートに対して連続体の形で配置構成され、前記第２のシート及び前記第３のシートに垂直な前記軸に沿って位置合わせされ、前記第３のシートの前記第１の表面が、前記第２のシートの前記第２の表面から、あらかじめ決定された第２の距離にある、第２の状態へと、前記物品が移り、逆も可能であるというような方式で、前記第１のシートの第１の側部縁部、及び、前記第２のシートの第１の側部縁部を、前記第３のシートの第１の側部縁部の、それぞれの一部分に、並びに、前記第１のシートの第２の側部縁部、及び、前記第２のシートの第２の側部縁部を、前記第３のシートの第２の側部縁部の、それぞれのさらなる一部分に接続するステップ
を含み得る。
【００２８】
下記で、説明は、３次元ポストカードに言及することになる。
【００２９】
しかしながら、本発明は、同じ利点を伴って、３次元効果を伴うあらかじめ決定された画像を再現するように構成される任意の物品に関係することが、そのことにより本発明の範囲から逸脱することなくあり得る。
【００３０】
本発明は、今から、例示的ではあるが制限的ではない意図で、本発明の実施例によって、同封の図に対する個別の参照を行って説明されることになる。
【図面の簡単な説明】
【００３１】
【図１】第１のシート及び第２のシートを備える３次元ポストカードの第１の実施例の正面視図である。
【図２Ａ】図１Ａの３次元ポストカードの第１のシートの正面視図を示す図である。
【図２Ｂ】図１Ａの３次元ポストカードの第１のシートの側面視図を示す図である。
【図３Ａ】図１Ａの３次元ポストカードの第２のシートの正面視図を示す図である。
【図３Ｂ】図１Ａの３次元ポストカードの第２のシートの側面視図を示す図である。
【図４Ａ】第１の状態においての図１Ａの３次元ポストカードを示す図である。
【図４Ｂ】第２の状態においての図１Ａの３次元ポストカードを示す図である。
【図５】第１のシート、第２のシート、及び第３のシートを備える３次元ポストカードの第２の実施例の正面視図である。
【図６】図５の３次元ポストカードの第１のシートの正面視図である。
【図７】図５の３次元ポストカードの第２のシートの正面視図である。
【図８Ａ】図５の３次元ポストカードの第３のシートの正面視図を示す図である。
【図８Ｂ】図５の３次元ポストカードの第３のシートの側面視図を示す図である。
【図９】図５の３次元ポストカードの３つのシートを、それらのシートが互いに接合される前において示す図である。
【発明を実施するための形態】
【００３２】
特に図１、２Ａ、２Ｂ、３Ａ、３Ｂを参照すると、３次元効果を伴うあらかじめ決定された画像を再現する３次元ポストカードＣの第１の実施例が開示されている。
【００３３】
前記３次元ポストカードＣは、シートの連続体を備え、シートの前記連続体は、少なくとも、
−  前記あらかじめ決定された画像の第１のパート１１が示される第１の表面１Ａ、及び、前記第１の表面１Ａの反対の第２の表面１Ｂを有する第１のシート１、
−  前記あらかじめ決定された画像の第２のパート１２が示される第１の表面２Ａ、及び、前記第１の表面２Ａの反対の第２の表面２Ｂを有する第２のシート２であって、前記あらかじめ決定された画像の前記第２のパート１２は、
○  前記あらかじめ決定された画像の前記第１のパート１１を影の形で再現する第１の画像を示す第１の一部分１２Ａ、及び、
○  前記第１の画像とは異なる第２の画像を示す第２の一部分１２Ｂ
を含む、第２のシート２
を備える。
【００３４】
前記あらかじめ決定された画像の第１のパート１１を参照すると、前記あらかじめ決定された画像の前記第１のパート１１は、第１の背景１１２上で配置構成される１つ又は複数の第１のキャラクタ１１１を含む。
【００３５】
特に、開示されている第１の実施例において、前記第１のパート１１は、複数の第１のキャラクタ１１１を含み、前記複数の第１のキャラクタ１１１の、各々の第１のキャラクタはダンサーである。
【００３６】
前記あらかじめ決定された画像の第２のパート１２を参照すると、前記第１の一部分１２Ａは、前記第１のキャラクタ１１１を影の形で、及び前記第１の背景１１２を再現し、前記第２の一部分１２Ｂは、第２の背景上で配置構成される１つ又は複数の第２のキャラクタ１２１を含む第２の画像を示す。
【００３７】
特に、前記第２の一部分１２Ｂは、複数の第２のキャラクタ１２１を含み、前記複数の第２のキャラクタのうちの前記第２のキャラクタ１２１の各々はミュージシャンである。
【００３８】
さらにまた、第１のシート１を参照すると、前記第１のシートは、あらかじめ決定された寸法を有する少なくとも一部分１００であって、観察者が、前記少なくとも一部分１００を通して、前記第２のシートの、それぞれの一部分を見ることを可能とするように構成される、少なくとも一部分１００を有する。
【００３９】
開示されている第１の実施例において、前記少なくとも１つの一部分１００は、開口部により画定される。
【００４０】
そのような開口部は、前記３次元ポストカードＣが使用中のときに、前記第２のパート１２の第２の一部分１２Ｂが、観察者がその第２の一部分１２Ｂを見ることができるように、外側から可視であるというような方式で、前記第２のシート２の第１の表面２Ａに関して配置構成される。
【００４１】
特に、開示されている第１の実施例において、前記開口部は、第１のシート１の第１の表面１Ａ上で示される前記第１のキャラクタ１１１の各々をさえぎるというような方式で、第１のシート１上で配置構成され、観察者が、第２のシート２の第１の表面２Ａ上で示される第２のキャラクタ１２１の各々を見ることを可能とする。
【００４２】
しかしながら、前記少なくとも１つの一部分１００は、本発明の範囲から逸脱することなく、透明材料の一部分であり得る。
【００４３】
特に、前記３次元ポストカードＣは、使用中のときに、前記第２のシートが、前記第１のシート１に平行、又は実質的に平行であり、前記第１のシート１に、及び前記第２のシート２に垂直な軸Ａに沿って、前記第１のシート１に対して位置合わせされるという、並びに、前記第２のシート２の前記第１の表面２Ａが、前記第１のシート１の第２の表面１Ｂから、あらかじめ決定された第１の距離にあるというような方式で、前記第２のシート２が第１のシートに対して連続体の形で配置構成されるというような方式で、構成される。さらにまた、使用中のときに、前記パート１２の前記第２の一部分１２Ｂが、前記少なくとも１つの開口部、又は、透明材料の一部分１００を通して、外側から可視であり、前記第１のシート１の第１の表面１Ａ上で示される前記あらかじめ決定された画像の前記第１のパート１１の前記軸Ａに沿った投影が、実質的に前記第２のパート１２の前記第１の一部分１２Ａについて対応関係にある様態で、前記第２のシート２の第１の表面２Ａ上に当たる。
【００４４】
この方式において、３次元ポストカードＣが視認することを可能とする、あらかじめ決定された画像は、各々のシート上で示される画像の連続体の結果である。
【００４５】
第２のシート２上で、第１の画像を示す前記あらかじめ決定された画像の第２のパート１２の第１の一部分１２Ａ（第１のシート１の第１の表面１Ａ上で示される第１のパート１１に対応する）が影の形であるという事実は、前記３次元ポストカードＣにより生成される３次元効果を増幅する。
【００４６】
実際、３次元ポストカードＣを眺める観察者は、奥行きのより大きい感覚を有するものであり、なぜならば、影の形の一部分と交互にされる、影の形でない一部分は、光及び影の正しい交互と同様に、遠近法効果を強調するからである。
【００４７】
開示されている第１の実施例において、前記第１のシート１及び前記第２のシート２は、それぞれ、第１の側部縁部１０Ａ、２０Ａ、及び、第２の側部縁部１０Ｂ、２０Ｂを有する。
【００４８】
第１のシート１及び第２のシート２は、前記３次元ポストカードＣが、実質的に平坦な形状を有し、前記第１のシート１及び前記第２のシート２が、実質的に重ねられ、互いと接触している（図４Ａ）、第１の状態から、前記３次元ポストカードＣが３次元形状を有し、前記第２のシート２が、前記第１のシート１に平行、又は実質的に平行であり、前記第１のシート１及び前記第２のシート２に垂直な前記軸Ａに沿って、前記第１のシート１に対して位置合わせされる（図４Ｂ）、第２の状態へと、前記３次元ポストカードＣが移り、逆も可能であるというような方式で、互いに接続される。
【００４９】
特に、第１のシート１の第１の側部縁部１０Ａ及び第２の側部縁部１０Ｂは、それぞれ、第２のシート２の第１の側部縁部２０Ａに、及び第２の側部縁部２０Ｂに接続される。
【００５０】
さらにまた、前記３次元ポストカードＣが前記第２の状態にあるとき、前記第２のシート２の第１の表面２Ａは、前記第１のシート１の第２の表面１Ｂから、あらかじめ決定された第１の距離にある（そのことは、図３Ｂから確認され得るが）。
【００５１】
しかしながら、前記３次元ポストカードＣが、前記第１の状態から前記第２の状態へと移り、逆も可能であるように構成されるということは必須ではない。
【００５２】
前記第１の実施例に関わる図から確認され得るように、第２のシート上で、前記あらかじめ決定された画像の第２のパートが示され、前記あらかじめ決定された画像の前記第２のパートの一部分は、第１のシート上で示される、ただし、影の形であることの事実により特徴付けられる、画像に対応する。
【００５３】
前記３次元ポストカードＣにより再現されるあらかじめ決定された画像は、かくして、連続体の形で配置構成される、及び、互いに隔置される、複数の平面に分解され、それらの平面の各々上で、影の形の一部分を有する前記あらかじめ決定された画像の、それぞれのパートが、第１の平面の他では示される。
【００５４】
第１のシートに引き続く各々のシート上で、シートの連続体の先のシート上で示される画像と等しい、影の形の一部分を有するそれぞれの画像が示されるという事実は、増幅される３次元効果を生成する。
【００５５】
さらにまた、開示されている実施例において、前記３次元ポストカードＣは、紙材料においてのものであり、その上、前記３次元ポストカードＣのシートは、紙シートであるが、前記３次元ポストカードＣは、本発明の範囲から逸脱することなく、任意の材料においてのものであり得る。
【００５６】
実際、前記シートは、あらかじめ決定された程度の剛性を有する材料から作製され得る。
【００５７】
例えば、前記シートは、木材、又は金属、又はプラスチック材料、好ましくはｐｌｅｘｉｇｌａｓｓ（著作権）、又はガラスから作製され得る。
【００５８】
前記３次元ポストカードが、透明プラスチック材料又はガラスから作製されるシートを備える事例において、前記第１のシート１は開口部を有さない。
【００５９】
重要なことは、シートの前記連続体の、各々のシートが、前記あらかじめ決定された画像のパートを示すということ、及び、第１のシート１の他では、前記パートの一部分は影の形であり、前記一部分上で示される画像は、先のシート上で示されるものに対応するということである。
【００６０】
あらかじめ決定された画像を示す３次元ポストカードＣを製造するための方法は、後に続くステップ：
Ａ）前記あらかじめ決定された画像の第１のパート１１が示される第１の表面１Ａ、及び、前記第１の表面１Ａの反対の第２の表面１Ｂを有する第１のシート１であって、あらかじめ決定された寸法を有する、少なくとも１つの開口部、又は、透明材料の一部分１００を有する、第１のシート１を用意するステップ、
Ｂ）前記あらかじめ決定された画像の第２のパート１２が示される第１の表面２Ａ、及び、前記第１の表面２Ａの反対の第２の表面２Ｂを有する第２のシート２であって、前記あらかじめ決定された画像の前記第２のパート１２は、
○  前記あらかじめ決定された画像１１の前記第１のパート１１を影の形で再現する第１の画像を示す第１の一部分１２Ａ、及び、
○  前記第１の画像とは異なる第２の画像を示す第２の一部分１２Ｂ
を含む、第２のシート２を用意するステップ、
Ｃ）使用中のときに、前記第２のシート２が、前記第１のシート１に平行、又は実質的に平行であり、前記第１のシート１に、及び前記第２のシート２に垂直な軸Ａに沿って、前記第１のシート１に対して位置合わせされるという、並びに、第２のシート２の前記第１の表面２Ａが、第１のシート１の第２の表面１Ｂから、あらかじめ決定された第１の距離にあるという、並びに、前記第２のパート１２の前記第２の一部分１２Ｂが、前記少なくとも１つの開孔部、又は、透明材料の一部分１００を通して、外側から可視であり、前記第１のシート１の第１の表面１Ａ上で示される前記あらかじめ決定された画像の前記第１のパート１１の前記軸Ａに沿った投影が、実質的に前記第２のパート１２の前記第１の一部分１２Ａについて対応関係にある様態で、前記第２のシート２の第１の表面２Ａ上に当たるというような方式で、前記第２のシート２を前記第１のシート１に対して連続体の形で配置構成するステップ
を含む。
【００６１】
前記方法は、ステップＤ）、すなわち、前記３次元ポストカードＣが、実質的に平坦な形状を有し、前記第１のシート１及び前記第２のシート２が、実質的に重ねられ、互いと接触している、第１の状態から、前記３次元ポストカードＣが３次元形状を有し、前記第２のシート２が、前記第１のシート１に平行、又は実質的に平行であるように第１のシート１に対して連続体の形で配置構成され、前記第１のシート１及び前記第２のシート２に垂直な前記軸Ａに沿って、前記第１のシート１に関して位置合わせされ、前記第２のシート２の第１の表面２Ａが、前記第１のシート１の第２の表面１Ｂから、あらかじめ決定された第１の距離にある、第２の状態へと、前記３次元ポストカードＣが移り、逆も可能であるというような方式で、第１のシート１を第２のシート２に接続するステップを含み得る。
【００６２】
特に、第１のシート１の第１の側部縁部１０Ａ及び第２の側部縁部１０Ｂは、それぞれ、前記第２のシート２の第１の側部縁部２０Ａ及び第２の側部縁部２０Ｂに接続される。
【００６３】
より詳細には、第１のシート１の第１の側部縁部１０Ａ及び第２の側部縁部１０Ｂは、それぞれ、前記第２のシート２の第１の側部縁部２０Ａに、及び第２の側部縁部２０Ｂに接着される。
【００６４】
第１の実施例は、２つのシートを備える３次元ポストカードＣに言及するが、前記３次元ポストカードＣは、複数のシートを備え得るものであり、それらのシートの数は、２つ以上のシートである。
【００６５】
さらにまた、すでに記されたように、３次元ポストカードＣは、単に、３次元効果を伴うあらかじめ決定された画像を再現するように構成される物品の実例である。
【００６６】
図５、６、７、８Ａ、８Ｂ、９において示される第２の実施例において、上記で開示された第１の実施例とは異なり、３次元ポストカードＣは、３つのシートを備える。
【００６７】
結果として、前記３次元ポストカードＣは、第１の実施例を参照して述べられた、第１のシート１に、及び第２のシート２に加えて、第３のシートを備える。
【００６８】
前記第３のシートは、前記あらかじめ決定された画像の第３のパート１３が示される第１の表面３Ａを有し、前記あらかじめ決定された画像の前記第３のパート１３は、
○  前記あらかじめ決定された画像の前記第２のパート１２を影の形で再現する第３の画像を示す第１の一部分１３Ａ、
○  前記第３の画像とは異なる第４の画像を示す第２の一部分１３Ｂ
を含む。
【００６９】
前記あらかじめ決定された画像の第３のパート１３を参照すると、前記第１の一部分１３Ａは、前記第２のキャラクタを影の形で、及び前記第２の背景１２２を再現し、前記第２の一部分１３Ｂは、第３の背景１３２上で配置構成される１つ又は複数の第３のキャラクタ１３１を含む第４の画像を示す。
【００７０】
特に、前記第２の一部分１３Ｂは、複数の第３のキャラクタ１２１を含み、前記複数の第３のキャラクタのうちの前記第３のキャラクタ１３１の各々はダンサーである。
【００７１】
前記第２のシート２は、あらかじめ決定されたさらなる寸法を有する少なくともさらなる一部分２００であって、観察者が、前記少なくとも１つのさらなる一部分２００を通して、前記第３のシート３の、それぞれの一部分を見ることを可能とするように構成される、少なくともさらなる一部分２００を有する。
【００７２】
開示されている第２の実施例において、前記少なくとも１つのさらなる一部分２００は、さらなる開口部により画定される。
【００７３】
そのようなさらなる開口部は、前記３次元ポストカードＣが使用中のときに、前記第３のパート３の第２の一部分１３Ｂが、観察者がその第２の一部分１３Ｂを見ることができるように、外側から可視であるというような方式で、前記第３のシート３の第１の表面３Ａに関して配置構成される。
【００７４】
特に、第１のシート１上の前記開口部１００、及び、第２のシート２上の前記さらなる開口部２００は、前記軸Ａに沿った前記開口部１００の投影が、前記さらなる開口部２００の中に当たるというような方式で配置構成される。
【００７５】
より詳細には、開示されている第２の実施例において、前記さらなる開口部２００は、第２のシート２の第１の表面２Ａ上で示される前記第２のキャラクタ１２１の各々をさえぎるというような方式で、第３のシート３上で配置構成され、観察者が、前記第３のシート３の第１の表面３Ａ上で示される前記第３のキャラクタ１３１の各々を見ることを可能とする。
【００７６】
しかしながら、前記少なくとも１つのさらなる一部分２００は、本発明から逸脱することなく、透明材料のさらなる一部分であり得る。
【００７７】
上記で開示された第１の実施例と類似的に、前記３次元ポストカードＣは、使用中のときに、前記第３のシート３が、前記第１のシート１及び前記第２のシート２に平行、又は実質的に平行であり、前記第１のシート１、前記第２のシート２に、及びさらには前記第３のシート３に垂直な前記軸Ａに沿って、前記第１のシート１及び前記第２のシート２に対して位置合わせされるというような方式で、構成される。さらにまた、前記第３のシート３の第１の表面３Ａが、前記第２のシート２の第２の表面２Ｂから、あらかじめ決定された第２の距離にある。
【００７８】
換言すれば、連続体の形で配置構成される３つのシートを備える３次元ポストカードＣに関わる前記第２の実施例を参照すると、前記あらかじめ決定された画像の第２のパート１２が、第２のシート２上で示され、前記第２のパートの一部分１２Ａが、第１のシート１上で示される画像を影の形で再現し、前記あらかじめ決定された画像の第３のパート１３が、第３のシート上で示され、前記第３のパートの一部分１３Ａが、第２のシート２上で示される画像を影の形で再現する。
【００７９】
第１の実施例に対して開示される方法に関して、第２のシートがさらなる開口部２００を有する、３つのシートを備える３次元ポストカードを参照すると、方法は、後に続くステップ：
−  前記あらかじめ決定された画像の第３のパート１３が示される第１の表面３Ａを有する第３のシート３であって、前記あらかじめ決定された画像の前記第３のパート１３は、
○  前記あらかじめ決定された画像の前記第２のパート１２を影の形で再現する第３の画像を示す第１の一部分１３Ａ、
○  前記第３の画像とは異なる第４の画像を示す第２の一部分１３Ｂ
を含む、第３のシート３を用意するステップ、
−  使用中のときに、前記第３のシート３が、前記第１のシート１及び前記第２のシート２に平行、又は実質的に平行であり、前記第１のシート１、前記第２のシート２に、及び前記第３のシート３に垂直な前記軸Ａに沿って、前記第１のシート１及び前記第２のシート２に対して位置合わせされるという、並びに、第３のシート３の前記第１の表面３Ａが、第２のシート２の第２の表面２Ｂから、あらかじめ決定された第２の距離にあるという、並びに、前記第３のパート１３の前記第２の一部分１３Ｂが、前記少なくとも１つのさらなる開口部、又は、透明材料のさらなる一部分２００を通して、外側から可視であり、前記第２のシート２の第１の表面２Ａ上で示される前記あらかじめ決定された画像の前記第２のパート１１の前記軸Ａに沿った投影が、実質的に前記第３のパート１３の前記第１の一部分１３Ａについて対応関係にある様態で、前記第３のシート３の第１の表面３Ａ上に当たるというような方式で、前記第３のシート３を前記第２のシート２に対して連続体の形で配置構成するステップ
をさらに含む。
【００８０】
第３のシート３は、側部縁部３０Ａ及び第２の側部縁部３０Ｂを有する。
【００８１】
開示されている第２の実施例において、前記第１のシート１、前記第２のシート２、及び前記第３のシート３は、前記３次元ポストカードが、実質的に平坦な形状を有し、第１のシート１、第２のシート２、及び第３のシート３が、実質的に重ねられ、互いと接触している、第１の状態から、前記３次元ポストカードＣが３次元形状を有し、前記第３のシート２が、前記第２のシート２に平行、又は実質的に平行であり、前記軸Ａに沿って位置合わせされ、第３のシート３の第１の表面３Ａが、前記第２のシート２の第２の表面２Ｂから、あらかじめ決定された第２の距離にある、第２の状態へと、前記３次元ポストカードＣが移り、逆も可能であるというような方式で、互いに接続される。
【００８２】
特に、第１のシート１の側部縁部１０Ａ及び第２の側部縁部１０Ｂは、それぞれ、第３のシート３の第１の側部縁部３０Ａの、及び、第２の側部縁部３０Ｂに対する、それぞれの一部分に接続され、第２のシート２の第１の側部縁部２０Ａ及び第２の側部縁部２０Ｂは、それぞれ、第３のシート３の第１の側部縁部３０Ａ及び第２の側部縁部３０Ｂの、それぞれのさらなる一部分に接続される。
【００８３】
ステップＤ）と類似的に、前記方法は、ステップＤ’）、すなわち、前記３次元ポストカードＣが、実質的に平坦な形状を有し、前記第１のシート１、前記第２のシート２、及び前記第３のシート３が、実質的に重ねられ、互いと接触している、第１の状態から、前記３次元ポストカードＣが３次元形状を有し、前記第３のシート３が、前記第１のシート１及び第２のシート２に平行、又は実質的に平行に、第２のシート２に対して連続体の形で配置構成され、前記第１のシート１、前記第２のシート２、及びさらには前記第３のシート３に垂直な前記軸Ａに沿って、前記第１のシート１に対して、及び、前記第２のシート２に対して位置合わせされ、前記第３のシート３の前記第１の表面３Ａが、前記第２のシート２の前記第２の表面２Ｂから、あらかじめ決定された第２の距離にある、第２の状態へと、前記３次元ポストカードＣが移り、逆も可能であるというような方式で、前記第１のシート１、前記第２のシート２、及び前記第３のシート３を互いに接続するステップを含み得る。
【００８４】
特に、前記第１のシート１の第１の側部縁部１０Ａ、及び、前記第２のシート２の第１の側部縁部２０Ａは、前記第３のシート３の第１の側部縁部３０Ａの、それぞれの一部分に接続され、前記第１のシート１の第２の側部縁部１０Ｂ、及び、前記第２のシート２の第２の側部縁部２０Ｂは、前記第３のシート３の第２の側部縁部３０Ｂの、それぞれのさらなる一部分に接続される。
【００８５】
より詳細には、前記第１のシート１の第１の側部縁部１０Ａ、及び、前記第２のシート２の第１の側部縁部２０Ａは、前記第３のシート３の第１の側部縁部３０Ａの、それぞれの一部分に接着され、前記第１のシート１の第２の側部縁部１０Ｂ、及び、前記第２のシート２の第２の側部縁部２０Ｂは、前記第３のシート３の第２の側部縁部３０Ｂの、それぞれのさらなる一部分に接着される。
【００８６】
有利には、すでに記されたように、３次元ポストカード、本発明の目的は、知られているタイプの３次元ポストカードによりレンダリングされる３次元効果より大きい３次元効果を伴うあらかじめ決定された画像を再現するように構成される。
【００８７】
本発明は、例示的ではあるが制限的ではない意図で、本発明の好まれる実施例によって説明されたが、変形例及び／又は変更例が、同封の特許請求の範囲によって定義されるような、本発明の範囲から逸脱することなく、当業者により実行され得るということが理解されるべきである。
【図１】
2020508908.tif 000003
【図２Ａ】
2020508908.tif 000004
【図２Ｂ】
2020508908.tif 000005
【図３Ａ】
2020508908.tif 000006
【図３Ｂ】
2020508908.tif 000007
【図４Ａ】
2020508908.tif 000008
【図４Ｂ】
2020508908.tif 000009
【図５】
2020508908.tif 000010
【図６】
2020508908.tif 000011
【図７】
2020508908.tif 000012
【図８Ａ】
2020508908.tif 000013
【図８Ｂ】
2020508908.tif 000014
【図９】
2020508908.tif 000015
【国際調査報告】
2020508908.tif 000016
2020508908.tif 000017
2020508908.tif 000018